(57)【要約】治療用椅子のシート部分（２）がシートキャリア（１）に旋回可能に装着されている。調整装置（１５）により治療用椅子のバックレスト（３）の下端ブラケットからのシート部分（２）の面の間隙が設定可能である。
2005529644.tif 000002
【特許請求の範囲】
【請求項１】
シートキャリア（１）を有し、当該シートキャリアに対してシート部分（２）が装着されており、バックレスト（３）が前記シート部分の下端部に当該シート部分に対して旋回可能に配設されており、前記バックレスト（３）に関して調整可能なヘッドサポート（４）を有する、歯の患者用治療椅子において、
前記シート部分（２）が前記シートキャリア（１）に旋回可能に配設されており、
前記バックレスト（３）の下端部（３２）から前記シート部分に向かう前記シート部分（２）の面（Ｅ）の間隙が調整装置（１５）により設定可能である、
ことを特徴とする、歯の患者用治療椅子。
【請求項２】
前記シート部分（２）の旋回枢軸（Ｓ）が前記シートキャリア（１）の前方領域内に配置されている、ことを特徴とする、
請求項１に記載の治療用椅子。
【請求項３】
前記調整装置（１５）は４個のバー機構として構成されている、ことを特徴とする、
請求項１または２に記載の治療用椅子。
【請求項４】
前記シート部分は下方に突出しているキャリア（１６）を有し、当該下方に突出しているキャリアは規則的な間隔で配置されているスロット（１７）を有し、当該スロットにピボットレバー（１８）が配設され得る、
ことを特徴とする、請求項１または２に調整装置。
【請求項５】
前記調整装置（１５）は相互に結合状態で接続されている２個のレバー（１９ａ，１９ｂ）を有し、前記レバーの一方（１９ａ）が前記シート部分に結合状態で配設されており、前記レバーの他方（１９ｂ）が前記シートキャリア（座担体）に結合状態で配設されている、
ことを特徴とする、請求項１または２に記載の装置。
【請求項６】
前記２個のレバー（１９ａ，１９ｂ）の結合状態の接続部は、リード・スクリューナットを有し、そのリード・スクリューナットにモータ（２３）によって駆動されるスピンドル（２２）が係合している、
ことを特徴とする、請求項５に記載の装置。
【請求項７】
前記調整装置（１５）は、２つのレバー（２１ａ，２１ｂ）を持つ４バー機構（２０）を有する、ことを特徴とする、
請求項１または２に記載の装置。
【請求項８】
前記４バー機構（２０）が平行四辺形を構成している、ことを特徴とする、
請求項７に記載の装置。
【請求項９】
前記４バー機構（２０）がスクリュー式平行四辺形を構成している、ことを特徴とする、
請求項７に記載の装置。
【請求項１０】
前記４バー機構（２０）のレバー（２１ａ，２１ｂ）の１つにリード・スクリューナット（２４）が設けられており、当該リード・スクリューナットにモータ駆動型スピンドル（２２）が係合している、
ことを特徴とする、請求項７〜９のいずれかに記載の装置。
【請求項１１】
前記調整装置（１５）はプログラム制御可能である、ことを特徴とする、
請求項１〜１０のいずれかに記載の歯の治療用椅子。
【発明の詳細な説明】
【技術分野】
【０００１】
本発明は、請求項１の前段に記載の文章に示されているような、歯の患者用治療椅子に関する。
【背景技術】
【０００２】
歯の患者用治療椅子は、種々の観点において調整可能であり、それにより、患者が歯科医師による治療のために最適な位置にされうる。特に、バックレスト（背もたれ）が枢軸（旋回枢軸）の周りに旋回可能であり、その結果、患者が仰向けに寝た位置にされ得る。人体の生態組織的な理由から、それゆえ、図１に図解したように、シート（座）キャリア（担体）へのバックレストの装着は、バックレストの旋回枢軸がシート（座）部分の面の上に幾分間隙があるように、構成されている。患者が仰向けに寝た位置において、このことは、バックレストの下端部が間隙Ａの分だけ、シート部分の面からずれていることを意味する。この間隙は平均的な大きさの患者のための大きさになっている。小柄な患者、および、特に、子供の患者がそのような治療用椅子に横たわると、上記間隙によるずれは、彼らの生態組織に対応しない仰向けに寝た位置を導く。その理由は、図２に図解したように、骨盤がバックレストの下端部に置かれ、バックレストからシート部分の面への間隙の結果として、もも（股）がシート部分に支持されず、むしろ、両ももとシート部分の面との間に自由空間Ｂを形成する。
【発明の開示】
【発明が解決しようとする課題】
【０００３】
上述した欠陥を補償するため、子供用の特別シートがすでに開発されており、そのような子供用シートは治療椅子の上に置かれ、その結果として、上述した間隙を補償している。このことは、各々の使用のために子供用シートを装着させなければならず、その後、通常の大きさの患者の治療のためには再び子供用シートを取り外さなければならないという付加的な装備の１つである。
【０００４】
したがって、本発明の目的は、小柄な患者が仰向けに寝た状態の位置においても、もも（股）が治療用椅子のシート部分によって支持される、歯科治療用椅子を構成することにある。
【課題を解決するための手段】
【０００５】
本発明は、請求項１の前段の文章に記載されている治療用椅子に基づき、請求項１の特徴部分に記載されている特徴による明白な本発明に基づいて、達成される。
【０００６】
利益的には、本発明のさらなる展開は従属請求項の記載から明瞭になる。
【発明の効果】
【０００７】
本発明の歯の患者用治療椅子によれば、小柄な患者が仰向けに寝た状態の位置においても、もも（股）が治療用椅子のシート部分によって支持される。
【発明を実施するための最良の形態】
【０００８】
下記に本発明が添付図面に関連づけてより詳細に記述される。
【０００９】
従来技術を示す図１に図解した治療用椅子は、シート（座）キャリア（担体）１を有しており、このシートキャリア（座担体）１にシート（座）部分２が２つの装着ブラケット１２，１３によって取り付けられている。シートキャリア１の上に、上方に突出したキャリア（担体）１１がさらに配置されており、その上方に突出したキャリア１１の上にバックレスト（背もたれ）３が枢軸（旋回枢軸）３１に周りに旋回可能に装着されている。バックレスト３の上端において、ヘッドサポート（頭部支持部）４が配置されており、そのヘッドサポート４はバックレスト３に対して相対的に調整され得る。旋回枢軸３１は、図解の例示において、シート部分２の面Ｅから（シート部分の端部を越えて延びた）間隙Ａだけ離れている。その結果、バックレスト３の下端部３２とシート部分２との間にも間隙が存在する。通常の大きさの患者の場合、図解した治療用椅子の仰向けに寝た状態の位置において、患者のもも（股）がシート部分２の面Ｅに置かれる。
【００１０】
小柄の患者の場合、ヘッドサポート４が患者の頭で完全に押された場合でも、バックレスト３が依然として長いので、患者の骨盤が完全にバックレスト３の上に置かれるので、その結果として、図２に例示するように、患者のもも（股）とシート部分２との間に中間空間Ｂが存在する。
【００１１】
この中間空間Ｂを回避するために、本発明に基づいて、図３に対応させて、シート部分２が軸Ｓの周りに前方装着ブラケット１２が旋回可能に設けられている。後方装着部分は調整装置１５として構成されている。図解した例示的な実施の形態において、これは、シート部分２から下方に突出しているキャリア１６からなり、このキャリア１６はスロット（溝）１７を持ち、これらスロット１７は交互に配設された規則的な間隔で構成されており、スロット１７にピボット（旋回用）レバー（梃子）１８が係合している。スロット１７を適切に選択することにより、シート部分２は異なる旋回位置に維持される。治療用椅子の横方向の安定性を高めるために、２個のキャリア１６と、それら２個のキャリア１６を止めるための２個のピボットレバー（旋回用レバー）１８とを設けることができる。患者が小柄な場合は、図３に図解されているように、シート部分２が上方に旋回されて、バックレスト３に向かうシート部分２の端部が患者のももを支持する。調整装置１５のために種々の構成をとることができ、たとえば、調整装置１５として、関節状のレバー、スピンドル、ラッチ（引っ掛け）要素、空気圧装置または液圧装置、モータ化した、特に、電気モータ化した装置などを想定しうる。その結果として、これらの調整装置は、患者の身体の大きさに対応する位置に動かれ得る、と同時に、患者のヘッドサポート（頭部支持部）として、バックレストおよびシート部分がプログラム制御により動かされ得る。
【００１２】
本発明の例示的な実施の形態の変形態様に基づけば、図４（ａ）、４（ｂ）に図解のごとく、シート部分２が、旋回可能なレバー２１ａ，２１ｂを持つ４個のバー機構２０によってシートキャリア１に取り付けられている。この４個のバー機構２０は平行四辺形の形状をとることができ、その結果、シート部分２が上昇するとき、シート部分２が図４（ａ）、４（ｂ）に図解のごとく、シートキャリア１の面に並行に変位される。図５（ａ），５（ｂ）を参照すると、４個のバー機構２０は、スクリュー（ねじ）式平行四辺形の形状をとることもできる。シート部分２の位置の調整は下記の方法で行われる。すなわち、機構レバー（レバー機構）２１ａ，２１ｂの１つが、その機構レバーに回転可能に取り付けられているリードスクリュー・ナット２４を持ち、そのリードスクリュー・ナットにモーダ駆動型スピンドル２２が係合し、このスピンドル２２がそれ自体が旋回可能に装着されており、それにより、リードスクリュー・ナット２４のアドバンスドローイング（advance drawing)またはアドバンストラベル（advance travel）のとき、スピンドルがねじれなく上昇する。モータ２３の軸の回転の向きに依存して、リードスクリュー・ナット２４は４個のバー機構２０に対応して、モータ駆動型スピンドル２２とともにスピンドル２２の前方または後方に動き、その結果、シート部分２が上昇し、または、下降する。
【００１３】
図６（ａ）、６（ｂ）に図解した例示的な実施の形態に基づけば、図３に図解したスロット（溝）付きキャリア１６が、相互に旋回可能に接続されている２個のレバー１９ａ，１９ｂに置換されており、２個のレバーの接続点にリードスクリュー・ナット２４が配設されており、そのリードスクリュー・ナット２４にモータ駆動型スピンドル２２が係合している。モータ２３の軸の回転の向きに依存して、２つのレバー１９ａ，１９ｂの間の角度が増加または減少させられることにより、シート部分２が上昇するまたは下降する。
【００１４】
図３に図解した例示的な実施の形態に対する、図４（ａ），４（ｂ）、図５（ａ），５（ｂ）、および、図６（ａ），６（ｂ）に基づく例示的な実施の形態の利益は、これらの実施の形態は、シート部分２を無段階的な（連続的な）調整を可能にしている。電気モータによる駆動もまた、プログラム制御型調整を可能としており、それによれば、モータの回転数が測定されて、その測定結果に応じてシート部分２の調整運動が遂行される。駆動用モータとしては、サーボモータを用いることが好都合である。
【図面の簡単な説明】
【００１５】
【図１】図１は標準的な大きさの患者が仰向けに寝た状態の位置したときの従来の治療用椅子を示す図である。
【図２】図２は小柄な患者が仰向けに寝た状態の位置における図１に基づく治療用椅子を示す図である。
【図３】図３は本発明の実施の形態としての、例示的なラッチ機構を有する治療用椅子を示す図である。
【図４】図４（ａ）、図４（ｂ）はさらなる例示的な調整装置として平行四辺形ガイドを持つ実施の形態を示す図である。
【図５】図５（ａ）、図５（ｂ）はさらなる例示的なモータ駆動型調整装置を備えた例示的な実施の形態を示す図である。
【図６】図６（ａ）、図６（ｂ）はさらなる例示的なモータ駆動型調整装置を備えたさらなる例示的な実施の形態を示す図である。
【符号の説明】
【００１６】
１…シートキャリア、２…シート（座）部分、
３…バックレスト（背もたれ））、４…ヘッドサポート（頭部支持部）、
１１…上方に突出したキャリア、１２…前方装着ブラケット
１５…調整装置、１６…スロット（溝付）きキャリア
１７…スロット（溝）、１８…ピボット（旋回）レバー（梃子）
１９ａ，１９…レバー、２０…バー機構
２１ａ，２１ｂ…機構レバー（レバー機構）
２２…スピンドル、２３…モータ、２４…リード・スクリューナット
【図１】
2005529644.tif 000003
【図２】
2005529644.tif 000004
【図３】
2005529644.tif 000005
【図４】
2005529644.tif 000006
【図５】
2005529644.tif 000007
【図６】
2005529644.tif 000008
【国際調査報告】
2005529644.tif 000009
2005529644.tif 000010
2005529644.tif 000011
2005529644.tif 000012
2005529644.tif 000013
2005529644.tif 000014